(57)【要約】【課題】光源から照射された光が曲板状光伝導部材に損失なく入射された後に拡散及び屈折可能とすることで、光源からの光により曲板状光伝導部材を均一に明るくできる曲面バックライトユニット及びそれを備えるディスプレイ装置を提供する。【解決手段】本発明による曲面バックライトユニットは、電源印加により発光する光源と、光源から照射された光を上部に出射する光伝導部材と、光源が安着される光源安着部及び光伝導部材が安着される光伝導部材安着部が用意されたボトムシャシーとを含み、ボトムシャシーは光源安着部が両方内側面に沿って連結され、光伝導部材安着部が弧状からなり、光伝導部材は弧状の上端面と下端面を有する曲板状からなり、光源はボトムシャシーの光源安着部に固定された基板に間隔を置いて連続されるように配置されることを特徴とする。【選択図】図１
2014229613.tif 000002
【特許請求の範囲】
【請求項１】
電源印加により発光する光源と、
前記光源から照射された光を上部に出射する光伝導部材と、
前記光源が安着される光源安着部及び光伝導部材が安着される光伝導部材安着部が用意されたボトムシャシーと、を含み、
前記ボトムシャシーは光源安着部が両方内側面に沿って連結され、光伝導部材安着部が弧状からなり、
前記光伝導部材は弧状の上端面と下端面を有する曲板状からなり、
前記光源はボトムシャシーの光源安着部に固定された基板に間隔を置いて連続されるように配置されることを特徴とする曲面バックライトユニット。
【請求項２】
前記ボトムシャシーの光源安着部に用意される基板は曲板状光伝導部材側に傾いて基板上に配置された各光源の前面と曲板状光伝導部材の各側面とが平行に対向することを特徴とする請求項１に記載の曲面バックライトユニット。
【請求項３】
前記ボトムシャシーの光伝導部材安着部の上面にはハニカム（ｈｏｎｅｙｃｏｍｂ）部材が用意されることを特徴とする請求項１に記載の曲面バックライトユニット。
【請求項４】
前記曲板状光伝導部材の上端面と下端面はボトムシャシーに用意される光伝導部材安着部と同一曲率の弧状からなることを特徴とする請求項１に記載の曲面バックライトユニット。
【請求項５】
前記曲板状光伝導部材の底面には凸状突起または凹状溝が前後左右に間隔を置いて連続されるように配置された形態のパターンが形成されることを特徴とする請求項１に記載の曲面バックライトユニット。
【請求項６】
前記曲板状光伝導部材はホルダによってボトムシャシーに固定されることを特徴とする請求項１に記載の曲面バックライトユニット。
【請求項７】
前記ホルダは曲板状光伝導部材の端とボトムシャシーの内側面との間に結合することを特徴とする請求項６に記載の曲面バックライトユニット。
【請求項８】
前記ホルダは曲板状光伝導部材の四方角を含んで、上下左右対称形態に位置することを特徴とする請求項６に記載の曲面バックライトユニット。
【請求項９】
前記ホルダは上端に曲板状光伝導部材の端がかかるようになった突起が用意されることを特徴とする請求項６に記載の曲面バックライトユニット。
【請求項１０】
電源印加により発光する光源と、
前記光源から照射された光を上部に出射する光伝導部材と、
前記光源が安着される光源安着部及び光伝導部材が安着される光伝導部材安着部が用意されたボトムシャシーと、を含み、
前記ボトムシャシーは光源安着部が両方内側面に沿って連結され、光伝導部材安着部が弧状からなり、
前記光伝導部材は弧状の上端面と下端面を有する曲板状からなり、
前記光源はボトムシャシーの光源安着部に固定された基板に間隔を置いて連続されるように配置される曲面バックライトユニットを備えることを特徴とする曲面バックライトユニットを備えるディスプレイ装置。
【発明の詳細な説明】
【技術分野】
【０００１】
本発明は、バックライトユニット及びディスプレイ装置に関し、より詳しくは、光源から照射された光が曲板状光伝導部材に損失なく入射された後に拡散及び屈折可能とすることで、光源からの光により曲板状光伝導部材を均一に明るくできる曲面バックライトユニット及びそれを備えるディスプレイ装置（ｃｕｒｖｅｄ  ｂａｃｋ  ｌｉｇｈｔ  ｕｎｉｔ  ａｎｄ  ｄｉｓｐｌａｙ  ｄｅｖｉｃｅ  ｈａｖｉｎｇ  ｔｈｅ  ｓａｍｅ）に関する。
【背景技術】
【０００２】
ディスプレイ装置のディスプレイパネルは、自己発光することができない。
【０００３】
したがって、ディスプレイ装置のディスプレイパネルの後方には光源及び光伝導部材を備えたバックライトユニットが用意される。
【０００４】
このように、ディスプレイパネル後方に光源及び光伝導部材が備えられたバックライトユニットを用意することで、光源からの光が光伝導部材を通って上部に出射された後にディスプレイパネルに達することで、ディスプレイパネルの発光が行われる。
【０００５】
一方、一般ディスプレイ装置のバックライトユニットは、図７に示すように、平板状光伝導部材１２０’が適用されるのが一般的である。
【０００６】
しかし、一部ディスプレイ装置のディスプレイパネルの場合は、曲面に製作されるので、大韓民国特許出願公開第１０−２０１３−００２０３０４号（公開日２０１３．０２．２７）に開示したような曲板状光伝導部材が適用されている。
【０００７】
曲板状光伝導部材からの光が曲面ディスプレイパネルに達すると、平板状光伝導部材からの光が平板状ディスプレイパネルに達する場合に比べて映像の立体感がよくなるので、ディスプレイ効果を高めるとともに、製品をスリム化することができる。
【０００８】
しかし、バックライトユニットに一般に設けられた光源１１０’を介して曲板状光伝導部材１２０”下部から光を照射すると、ディスプレイ装置の画質低下につながる問題があった。
【０００９】
すなわち、一般に設けられた光源１１０’を介して曲板状光伝導部材１２０”下部から光を照射すると、図８に示すように、斜めに入射する光の一部は部分反射して反射光が曲板状光伝導部材１２０”の中心側に誘導されるので、曲板状光伝導部材１２０”の中心外側に暗部が形成されて結果的にディスプレイ装置の画質低下につながるとの問題があった。
【００１０】
上記の理由により該当分野では、光源から照射された光を介して曲板状光伝導部材の各部位を均一に明るくできる方案を模索していたが、現在まで満足するほどの結果が得られない実情であった。
【先行技術文献】
【特許文献】
【００１１】
【特許文献１】大韓民国特許出願公開第10-2013-0020304号明細書
【発明の概要】
【発明が解決しようとする課題】
【００１２】
本発明は、上記実情に鑑みてなされたもので、一般的な光源配置では曲板状光伝導部材の各部位を均一に照明することができないので、ディスプレイ装置の画質低下となった問題点を解消させることができる曲面バックライトユニット及びそれを備えるディスプレイ装置を提供することにその目的がある。
【課題を解決するための手段】
【００１３】
本発明による曲面バックライトユニットは、電源印加により発光する光源と、前記光源から照射された光を上部に出射する光伝導部材と、前記光源が安着される光源安着部及び光伝導部材が安着される光伝導部材安着部が用意されたボトムシャシーとを含み、前記ボトムシャシーは、光源安着部が両方内側面に沿って連結され、光伝導部材安着部が弧状からなり、前記光伝導部材は弧状の上端面と下端面を有する曲板状からなり、前記光源はボトムシャシーの光源安着部に固定された基板に間隔を置いて連続されるように配置されることを特徴とする。
【００１４】
ここで、前記ボトムシャシーの光源安着部に固定される基板は、曲板状光伝導部材側に傾いて基板上に配置された各光源の前面と曲板状光伝導部材の各側面とが平行に対向することを特徴とする。
【００１５】
そして、前記ボトムシャシーの光伝導部材安着部の上面にはハニカム部材が用意されることを特徴とする。
【００１６】
そして、前記曲板状光伝導部材の上端面と下端面はボトムシャシーに用意される光伝導部材安着部と同一曲率の弧状からなることを特徴とする。
【００１７】
そして、前記曲板状光伝導部材の底面には、凸状突起または凹状溝が前後左右に間隔を置いて連続されるように配置された形態のパターンが形成されることを特徴とする。
【００１８】
そして、前記曲板状光伝導部材はホルダによってボトムシャシーに固定されることを特徴とする。
【００１９】
そして、前記ホルダは曲板状光伝導部材の端とボトムシャシーの内側面との間に結合することを特徴とする。
【００２０】
そして、前記ホルダは曲板状光伝導部材の四方角を含んで上下左右対称形態に位置することを特徴とする。
【００２１】
そして、前記ホルダは上端に曲板状光伝導部材の端がかかるようになった突起が用意されることを特徴とする。
【００２２】
また、本発明による曲面バックライトユニットを備えるディスプレイ装置は、電源印加により発光する光源と、前記光源から照射された光を上部に出射する光伝導部材と、前記光源が安着される光源安着部及び光伝導部材が安着される光伝導部材安着部が用意されたボトムシャシーとを含み、前記ボトムシャシーは光源安着部が両方内側面に沿って連結され、光伝導部材安着部が弧状からなり、前記光伝導部材は弧状の上端面と下端面を有する曲板状からなり、前記光源はボトムシャシーの光源安着部に固定された基板に間隔を置いて連続されるように配置されることを特徴とする。
【発明の効果】
【００２３】
本発明による曲面バックライトユニット及びそれを備えるディスプレイ装置は、ボトムシャシーの光伝導部材安着部が弧状からなり、弧状からなる光伝導部材安着部に曲板状光伝導部材が結合したことであり、曲板状光伝導部材両側端部に隣接する光源は光源安着部上の基板が曲板状光伝導部材側に傾くことで、その前面が曲板状光伝導部材の側面と平行に対向するので、光源からの光が比較的損失なく曲板状光伝導部材側面に入射されることができるので、光源からの光により曲板状光伝導部材の各部位を均一に照明することができる効果がある。
【００２４】
また、本発明による曲面バックライトユニット及びそれを備えるディスプレイ装置は、曲板状光伝導部材の底面に凸状突起または凹状溝が前後左右に間隔を置いて連続されるように配置された形態のパターンが形成されたので、光源からの光が凸状突起または凹状溝と接して屈折されることができるので、光の拡散及び屈折によって曲板状光伝導部材の各部位を均一に照明することができる効果がある。
【００２５】
また、本発明による曲面バックライトユニット及びそれを備えるディスプレイ装置は、曲板状光伝導部材がホルダによって固定されるので、曲板状光伝導部材の設置以後にホルダによって曲板状光伝導部材の変形を防止することができる効果がある。
【００２６】
また、本発明による曲面バックライトユニット及びそれを備えるディスプレイ装置は、ボトムシャシーの光伝導部材安着部上面にハニカム部材が用意されたので、ハニカム部材により光伝導部材安着部が堅固となるので、光伝導部材安着部を介して曲板状光伝導部材を安定的に支持することができる効果がある。
【図面の簡単な説明】
【００２７】
【図１】本発明による曲面バックライトユニットの構造を説明するための断面図である。
【図２】本発明による曲面バックライトユニットで曲板状光伝導部材への光の照射を説明するための例示図である。
【図３】本発明による曲面バックライトユニットでホルダを介する曲板状光伝導部材の固定を説明するための断面図である。
【図４】本発明による曲面バックライトユニットでホルダの配置形態を示す例示図である。
【図５】本発明による曲面バックライトユニットでハニカム部材の構造を説明するための部分斜視図である。
【図６】本発明による曲面バックライトユニットで曲板状光伝導部材に形成されるパターンの形態を示す部分斜視図である。
【図７】平板状光伝導部材が適用された従来バックライトユニットの構造を示す例示図である。
【図８】曲板状光伝導部材が適用された従来バックライトユニットでの曲板状光伝導部材への光の照射を説明するための例示図である。
【発明を実施するための形態】
【００２８】
以下、添付図面に基づいて本発明について詳細に説明する。
【００２９】
図１に示すように、本発明による曲面バックライトユニット１００は、光源１１０と、光伝導部材１２０と、ボトムシャシー１３０とを含む。
【００３０】
前記光源１１０は電源印加により発光する。
【００３１】
このような光源１１０は、ボトムシャシー１３０の光源安着部１３１に固定される基板１３１ａに間隔を置いて連続されるように配置されることが好ましい。
【００３２】
光源１１０がボトムシャシー１３０の光源安着部１３１に固定される基板１３１ａに間隔を置いて連続されるように配置されることで、光源１１０から照射された光が両側光源安着部１３１に隣接する光伝導部材１２０に達することができるので、光源１１０からの光の照射により光伝導部材１２０から上部に光出射を行うことができる。
【００３３】
一方、光源１１０自体は一般バックライトユニットに適用させたものであるので、光源１１０自体についての詳細な説明は省略する。
【００３４】
前記光伝導部材１２０は光源１１０から照射された光を上部に出射する。
【００３５】
このような光伝導部材１２０は弧状の上端面と下端面を有する曲板状であるものが好ましい。
【００３６】
光伝導部材１２０が弧状の上端面と下端面を有する曲板状であるので、後述するボトムシャシー１３０の弧状からなる光伝導部材安着部１３２への安着が容易に行われるだけでなく、曲面からなるディスプレイパネル１４０の各部位に均一に光が達することができる。
【００３７】
このとき、曲板状光伝導部材１２０の上端面と下端面は、ボトムシャシー１３０に用意された弧状光伝導部材安着部１３２と同一曲率の弧状からなることが好ましい。
【００３８】
曲板状光伝導部材１２０の上端面と下端面がボトムシャシー１３０に用意された弧状光伝導部材安着部１３２と同一曲率の弧状からなることで、曲板状光伝導部材１２０と光伝導部材安着部１３２とが緊密に隣接することができるので、安着が安定的に行われるだけでなく、光拡散が均一に行われる。
【００３９】
そして、曲板状光伝導部材１２０の底面には、凸状突起または凹状溝１２１が前後左右に間隔を置いて連続されるように配置された形態のパターンが形成されることが好ましい。
【００４０】
曲板状光伝導部材１２０の底面に、凸状突起または凹状溝１２１が前後左右に間隔を置いて連続されるように配置された形態のパターンが形成されることで、光源１１０から照射された光が曲板状光伝導部材１２０を通って拡散するだけでなく、凸状突起または凹状溝１２１と接して屈折されるので、光の拡散及び屈折によって曲板状光伝導部材１２０の各部位を均一に照明することができる。
【００４１】
そして、曲板状光伝導部材１２０はホルダ１５０によってボトムシャシー１３０に固定されることが好ましい。
【００４２】
曲板状光伝導部材１２０がホルダ１５０によりボトムシャシー１３０に固定されることで、曲板状光伝導部材１２０の固定状態が堅固であるだけでなく、曲板状光伝導部材１２０の変形が防止されて曲板状光伝導部材１２０の最初曲率を持続的に維持することができる。
【００４３】
この場合、ホルダ１５０は、図３に示すように、曲板状光伝導部材１２０の端とボトムシャシー１３０の内側面との間に結合されることが好ましい。
【００４４】
ホルダ１５０が曲板状光伝導部材１２０の端とボトムシャシー１３０の内側面との間に結合することで、ボトムシャシー１３０内で曲板状光伝導部材１２０の前後左右流動を防止することができる。
【００４５】
このとき、ホルダ１５０の固定は、ボトムシャシー１３０とホルダ１５０を貫通する締結部材（図面符号示せず）により簡単に行うことができるので、ホルダ１５０の固定に関する詳細な説明は省略する。
【００４６】
そして、ホルダ１５０は、図４に示すように、曲板状光伝導部材１２０の四方角部を含んで上下左右対称形態に位置することが好ましい。
【００４７】
ホルダ１５０が曲板状光伝導部材１２０の四方角部を含んで上下左右対称形態に位置することで、曲板状光伝導部材１２０がいずれか一側に傾くことを防止することができる。
【００４８】
そして、ホルダ１５０は、上端に曲板状光伝導部材１２０の端がかかるようになった突起１５１が用意されることが好ましい。
【００４９】
ホルダ１５０の上端に曲板状光伝導部材１２０の端がかかるようになった突起１５１を用意することで、突起１５１底面が曲板状光伝導部材１２０の上面に接することで曲板状光伝導部材１２０の圧迫が維持されることができるので、曲板状光伝導部材１２０の上下流動を防止することができる。
【００５０】
一方、曲板状光伝導部材１２０は底面に反射シートが用意されている。
【００５１】
曲板状光伝導部材１２０底面に反射シートを用意することで、曲板状光伝導部材１２０に入射された光は反射シートによって反射されて上部に出射されることができる。
【００５２】
前記ボトムシャシー１３０は、光源１１０が安着される光源安着部１３１及び光伝導部材１２０が安着される光伝導部材安着部１３２が用意されている。
【００５３】
このようなボトムシャシー１３０において、光源安着部１３１はボトムシャシー１３０の両方内側面に沿ってつながることが好ましい。
【００５４】
ボトムシャシー１３０の光源安着部１３１がボトムシャシー１３０の両方内側面に沿ってつながることで、光源安着部１３１に固定される基板１３１ａに配置される光源１１０が曲板状光伝導部材１２０の両側面に隣接することができる。
【００５５】
この場合、光源安着部１３１に用意される基板１３１ａは、曲板状光伝導部材１２０側に傾くことが好ましい。
【００５６】
光源安着部１３１に用意される基板１３１ａが曲板状光伝導部材１２０側に傾くことで、基板１３１ａ上に配置された各光源１１０の前面と曲板状光伝導部材１２０の側面が平行に対向することができるので、光源１１０から照射された光が比較的損失なく曲板状光伝導部材１２０の両側面に入射されることができて光源１１０からの光を介して曲板状光伝導部材１２０の各部位を均一に照明することができる。
【００５７】
そして、ボトムシャシー１３０の光伝導部材安着部１３２は弧状からなることが好ましい。
【００５８】
ボトムシャシー１３０の光伝導部材安着部１３２が弧状からなることで、曲板状光伝導部材１２０と緊密に接触するので、曲板状光伝導部材１２０の安着が安定的に行われる。
【００５９】
この場合、ボトムシャシー１３０の光伝導部材安着部１３２上面にはハニカム（ｈｏｎｅｙｃｏｍｂ）部材１３２ａが用意されることが好ましい。
【００６０】
ボトムシャシー１３０の光伝導部材安着部１３２上面にハニカム部材１３２ａを用意することで、ハニカム部材１３２ａの構造的な特性上に光伝導部材安着部１３２が堅固となるので、光伝導部材安着部１３２を介して曲板状光伝導部材１２０を安定的に支持することができて曲板状光伝導部材１２０の変形なく最初曲率を持続的に維持することができる。
【００６１】
一方、本発明によるディスプレイ装置（図示せず）の特徴は、上記説明した曲面バックライトユニット１００を備えることにあるので、ディスプレイ装置自体に関する詳細な説明は省略する。
【００６２】
次に、上記曲面バックライトユニット１００において、曲板状光伝導部材１２０を介する光拡散についての詳細に説明する。
【００６３】
本発明において、ボトムシャシー１３０には、光源１１０及び曲板状光伝導部材１２０が用意される。
【００６４】
よって、光源１１０に電源が印加されると、光源１１０から光が曲板状光伝導部材１２０に達するので、曲板状光伝導部材１２０から上部に光出射が行われる。
【００６５】
このとき、光源１１０は、ボトムシャシー１３０の内側面に沿ってつながる光源安着部１３１上の基板１３１ａに配置されているので、光源安着部１３１上の基板１３１ａに配置されたそれぞれの光源１１０は曲板状光伝導部材１２０の両側面に隣接するので、光源１１０から光が曲板状光伝導部材１２０両側面を介して入射されることができて曲板状光伝導部材１２０から上部に光出射を行うことができる。
【００６６】
そこで、光源安着部１３１上の基板１３１ａは、図２に示すように、曲板状光伝導部材１２０側に傾き、曲板状光伝導部材１２０の両側面に隣接する各光源１１０の前面は曲板状光伝導部材１２０の側面と平行に対向するので、光源１１０から光が比較的損失なく曲板状光伝導部材１２０の両側面に入射されるので、曲板状光伝導部材１２０の各部位を均一に照明することができる。
【００６７】
また、本発明において、曲板状光伝導部材１２０の底面には、図６に示すように、凸状突起または凹状溝１２１が前後左右に間隔を置いて連続されるように配置された形態のパターンが形成され、光源１１０からの光が曲板状光伝導部材１２０に入射されて拡散されるだけでなく凸状突起または凹状溝１２１と接して屈折されることができるので、光の拡散及び屈折によって曲板状光伝導部材１２０の各部位をさらに均一に照明することができる。
【００６８】
一方、曲板状光伝導部材１２０が変形されて最初の曲率を維持することができないと、光源１１０から光入射角が最初状態から変更されるので、曲板状光伝導部材１２０に光が入射される過程で光損失が生じられる。
【００６９】
しかし、本発明において、曲板状光伝導部材１２０の端とボトムシャシー１３０の内側面との間には、ホルダ１５０が結合されるので、ホルダ１５０によって曲板状光伝導部材１２０がボトムシャシー１３０上に堅く固定されて曲板状光伝導部材１２０の変形を防止することができる。
【００７０】
したがって、曲板状光伝導部材１２０は、最初の曲率を持続的に維持することができるので、曲板状光伝導部材１２０に光が入射される過程において光損失を防止することができる。
【００７１】
さらに、本発明において、ボトムシャシー１３０の光伝導部材安着部１３２上面には、図５に示すように、ハニカム部材１３２ａが用意されているので、ハニカム部材１３２ａの構造的特性により光伝導部材安着部１３２が堅固となるので、光伝導部材安着部１３２を介して曲板状光伝導部材１２０を変形させず安定的に支持することができる。
【００７２】
したがって、曲板状光伝導部材１２０は、最初の曲率を持続的に維持することができるので、曲板状光伝導部材１２０に光が入射される過程において光損失を防止することができる。
【００７３】
上記のように、本発明による曲面バックライトユニット１００及びそれを備えるディスプレイ装置は、ボトムシャシー１３０の光伝導部材安着部１３２が弧状からなって、弧状からなる光伝導部材安着部１３２に曲板状光伝導部材１２０が結合され、曲板状光伝導部材１２０両側端部に隣接する光源１１０は光源安着部１３１上の基板１３１ａが曲板状光伝導部材１２０側に傾くことでその前面が曲板状光伝導部材１２０の側面と平行に対向し、光源１１０からの光が比較的損失なく曲板状光伝導部材１２０側面に入射されることができるので、光源１１０からの光を介して曲板状光伝導部材１２０の各部位を均一に照明することができ、曲板状光伝導部材１２０の底面に凸状突起または凹状溝１２１が前後左右に間隔を置いて連続されるように配置された形態のパターンが形成されたので、光源１１０からの光が凸状突起または凹状溝１２１と接して屈折されることができるので、光の拡散及び屈折によって曲板状光伝導部材１２０の各部位を均一に照明することができ、曲板状光伝導部材１２０がホルダ１５０により固定されるので、曲板状光伝導部材１２０の設置以後にホルダ１５０により曲板状光伝導部材の変形を防止することができ、ボトムシャシー１３０の光伝導部材安着部１３２上面にハニカム部材１３２ａが用意されたので、光伝導部材安着部１３２を介して曲板状光伝導部材１２０を安定的に支持することができる。
【００７４】
以上、本発明の好ましい実施形態を説明したが、本発明は上記の実施形態に限定されることはない。本発明の趣旨を逸脱しない範囲で、構成の付加、省略、置換、およびその他の変更が可能であり、そのような変更は本請求範囲内に含まれる。
【符号の説明】
【００７５】
１００    バックライトユニット
１１０、１１０’    光源
１２０、１２０’、１２０”    光伝導部材
１２１    凸状突起または凹状溝
１３０    ボトムシャシー
１３１    光源安着部
１３１ａ    基板
１３２    光伝導部材安着部
１３２ａ    ハニカム部材
１４０    ディスプレイパネル
１５０    ホルダ
１５１    突起
【図１】
2014229613.tif 000003
【図２】
2014229613.tif 000004
【図３】
2014229613.tif 000005
【図４】
2014229613.tif 000006
【図５】
2014229613.tif 000007
【図６】
2014229613.tif 000008
【図７】
2014229613.tif 000009
【図８】
2014229613.tif 000010
【手続補正書】
【提出日】平成26年5月20日(2014.5.20)
【手続補正１】
【補正対象書類名】特許請求の範囲
【補正対象項目名】全文
【補正方法】変更
【補正の内容】
【特許請求の範囲】
【請求項１】
電源印加により発光する光源と、
前記光源から照射される光を上部に出射する光伝導部材と、
前記光源が安着される光源安着部及び光伝導部材が安着される光伝導部材安着部が用意されたボトムシャシーと、を含み、
前記ボトムシャシーは光源安着部が両方内側面に沿って連結され、光伝導部材安着部が弧状からなり、
前記光伝導部材は弧状の上端面と下端面を有する曲板状からなり、
前記光源はボトムシャシーの光源安着部に固定される基板に間隔を置いて連続されるように配置され、
前記ボトムシャシーの光伝導部材安着部の上面にはハニカム（ｈｏｎｅｙｃｏｍｂ）部材が用意されることを特徴とする曲面バックライトユニット。
【請求項２】
前記ボトムシャシーの光源安着部に用意される基板は曲板状光伝導部材側に傾いて基板上に配置された各光源の前面と曲板状光伝導部材の各側面とが平行に対向することを特徴とする請求項１に記載の曲面バックライトユニット。
【請求項３】
前記曲板状光伝導部材の上端面と下端面はボトムシャシーに用意される光伝導部材安着部と同一曲率の弧状からなることを特徴とする請求項１に記載の曲面バックライトユニット。
【請求項４】
前記曲板状光伝導部材の底面には凸状突起または凹状溝が前後左右に間隔を置いて連続されるように配置された形態のパターンが形成されることを特徴とする請求項１に記載の曲面バックライトユニット。
【請求項５】
前記曲板状光伝導部材はホルダによってボトムシャシーに固定されることを特徴とする請求項１に記載の曲面バックライトユニット。
【請求項６】
前記ホルダは曲板状光伝導部材の端とボトムシャシーの内側面との間に結合することを特徴とする請求項５に記載の曲面バックライトユニット。
【請求項７】
前記ホルダは曲板状光伝導部材の四方角を含んで、上下左右対称形態に位置することを特徴とする請求項５に記載の曲面バックライトユニット。
【請求項８】
前記ホルダは上端に曲板状光伝導部材の端がかかるようになった突起が用意されることを特徴とする請求項５に記載の曲面バックライトユニット。
【請求項９】
電源印加により発光する光源と、
前記光源から照射される光を上部に出射する光伝導部材と、
前記光源が安着される光源安着部及び光伝導部材が安着される光伝導部材安着部が用意されたボトムシャシーと、を含み、
前記ボトムシャシーは光源安着部が両方内側面に沿って連結され、光伝導部材安着部が弧状からなり、
前記光伝導部材は弧状の上端面と下端面を有する曲板状からなり、
前記光源はボトムシャシーの光源安着部に固定される基板に間隔を置いて連続されるように配置され、
前記ボトムシャシーの光伝導部材安着部の上面にはハニカム（ｈｏｎｅｙｃｏｍｂ）部材が用意されることを特徴とする曲面バックライトユニットを備えるディスプレイ装置。
【手続補正書】
【提出日】平成26年8月28日(2014.8.28)
【手続補正１】
【補正対象書類名】特許請求の範囲
【補正対象項目名】全文
【補正方法】変更
【補正の内容】
【特許請求の範囲】
【請求項１】
電源印加により発光する光源と、
前記光源から照射される光を上部に出射する光伝導部材と、
前記光源が安着される光源安着部及び光伝導部材が安着される光伝導部材安着部が用意されたボトムシャシーと、を含み、
前記ボトムシャシーは光源安着部が両方内側面に沿って連結され、光伝導部材安着部が弧状からなり、
前記光伝導部材は弧状の上端面と下端面を有する曲板状からなり、
前記光源はボトムシャシーの光源安着部に固定される基板に間隔を置いて連続されるように配置され、
前記ボトムシャシーの光伝導部材安着部の上面にはハニカム（ｈｏｎｅｙｃｏｍｂ）部材が用意され、
前記ボトムシャシーの光源安着部に用意される基板は曲板状光伝導部材側に傾いて基板上に配置された各光源の前面と曲板状光伝導部材の各側面とが平行に対向することを特徴とする曲面バックライトユニット。
【請求項２】
前記曲板状光伝導部材の上端面と下端面はボトムシャシーに用意される光伝導部材安着部と同一曲率の弧状からなることを特徴とする請求項１に記載の曲面バックライトユニット。
【請求項３】
前記曲板状光伝導部材の底面には凸状突起または凹状溝が前後左右に間隔を置いて連続されるように配置された形態のパターンが形成されることを特徴とする請求項１に記載の曲面バックライトユニット。
【請求項４】
前記曲板状光伝導部材はホルダによってボトムシャシーに固定されることを特徴とする請求項１に記載の曲面バックライトユニット。
【請求項５】
前記ホルダは曲板状光伝導部材の端とボトムシャシーの内側面との間に結合することを特徴とする請求項４に記載の曲面バックライトユニット。
【請求項６】
前記ホルダは曲板状光伝導部材の四方角を含んで、上下左右対称形態に位置することを特徴とする請求項４に記載の曲面バックライトユニット。
【請求項７】
前記ホルダは上端に曲板状光伝導部材の端がかかるようになった突起が用意されることを特徴とする請求項４に記載の曲面バックライトユニット。
【請求項８】
電源印加により発光する光源と、
前記光源から照射される光を上部に出射する光伝導部材と、
前記光源が安着される光源安着部及び光伝導部材が安着される光伝導部材安着部が用意されたボトムシャシーと、を含み、
前記ボトムシャシーは光源安着部が両方内側面に沿って連結され、光伝導部材安着部が弧状からなり、
前記光伝導部材は弧状の上端面と下端面を有する曲板状からなり、
前記光源はボトムシャシーの光源安着部に固定される基板に間隔を置いて連続されるように配置され、
前記ボトムシャシーの光伝導部材安着部の上面にはハニカム（ｈｏｎｅｙｃｏｍｂ）部材が用意され、
前記ボトムシャシーの光源安着部に用意される基板は曲板状光伝導部材側に傾いて基板上に配置された各光源の前面と曲板状光伝導部材の各側面とが平行に対向することを特徴とする曲面バックライトユニットを備えるディスプレイ装置。